(57)【要約】  本開示の態様は、ロングタームエボリューション（ＬＴＥ）ワイヤレス通信ネットワーク内のユーザ機器（ＵＥ）による論理チャネル優先順位付けのための方法、システム、デバイスおよび／または装置を提供する。ＵＥは、ＵＥの１つまたは複数のアプリケーションあるいはサービスにそれぞれ関連する複数の論理チャネルを有し得る。ＵＥは、時間期間の間に論理チャネルにアップリンクリソースの少なくとも一部分を割り当てるサービス品質（ＱｏＳ）義務が存在するかどうかを識別し得、また、論理チャネルがＵＥから送信されるべき制御データを有するかどうかを識別し得る。論理チャネルのためのＱｏＳ義務および／または制御データが存在する場合、ＵＥは、論理チャネルにアップリンクリソースの少なくとも一部分を割り当て得る。
2016502805.tif 000002
【特許請求の範囲】
【請求項１】
ロングタームエボリューション（ＬＴＥ）ワイヤレス通信ネットワーク内のユーザ機器（ＵＥ）による論理チャネル優先順位付けのための方法であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を備える、方法。
【請求項２】
前記第１の論理チャネルに前記アップリンクリソースの少なくとも一部分を割り当てることが、前記時間期間の間に前記ＱｏＳ義務の前記識別がない場合に、送信されるべき制御データの前記識別があるとき、前記第１の論理チャネルに前記アップリンクリソースの少なくとも一部分を割り当てることを含む、請求項１に記載の方法。
【請求項３】
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てる前記ＱｏＳ義務の前記識別がない場合に、送信されるべき制御データの前記識別があるとき、前記第１の論理チャネルに前記アップリンクリソースの少なくとも一部分を割り当てることと
をさらに備える、請求項２に記載の方法。
【請求項４】
前記第１の論理チャネルに前記アップリンクリソースの少なくとも一部分を前記割り当てることが、前記時間期間の間に前記第２の論理チャネルへのアップリンクリソースの任意の割当てより先に実行される、請求項３に記載の方法。
【請求項５】
前記第１の論理チャネルが、前記第２の論理チャネルの優先データレートよりも大きい優先データレートを有する、請求項３に記載の方法。
【請求項６】
前記第１の論理チャネルに前記アップリンクリソースを割り当てるＱｏＳ義務を前記ＵＥが有するかどうかを前記識別することが、前記第１の論理チャネルに関係する前記ＱｏＳ義務が満たされたことを識別する前記第１の論理チャネルのために確立された変数のステータスに基づく、請求項１に記載の方法。
【請求項７】
前記変数が、前記第１の論理チャネルの優先ビットレート（ＰＢＲ）と前記時間期間に関連する伝送時間間隔（ＴＴＩ）とに基づく、請求項６に記載の方法。
【請求項８】
前記第１の論理チャネルが送信されるべき制御データを有することと、前記時間期間の間に前記第１の論理チャネルに前記アップリンクリソースの少なくとも一部分を割り当てるＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、請求項１に記載の方法。
【請求項９】
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
をさらに備える、請求項２に記載の方法。
【請求項１０】
制御データが、ｅＮＢから受信したデータに対応する無線リンク制御（ＲＬＣ）データを備える、請求項１に記載の方法。
【請求項１１】
前記時間期間の間に第１の論理チャネルに前記アップリンクリソースの少なくとも一部分を割り当てるサービス品質（ＱｏＳ）義務を前記ＵＥが有するかどうかを識別することが、前記第１の論理チャネルの優先ビットレート（ＰＢＲ）値が、シグナリング無線ベアラＳＲＢ１に対応するのか、またはシグナリング無線ベアラＳＲＢ２に対応するのかに基づく、請求項１に記載の方法。
【請求項１２】
前記第１の論理チャネルに前記アップリンクリソースの少なくとも一部分を割り当てることが、前記制御データを送信するために前記第１の論理チャネルに十分なアップリンクリソースを割り当てることを含む、請求項１に記載の方法。
【請求項１３】
ロングタームエボリューション（ＬＴＥ）ワイヤレス通信ネットワーク内のユーザ機器（ＵＥ）によるワイヤレス通信のための装置であって、
時間期間の間に前記ＵＥにおいてアップリンクリソースの割当てを受信することと、
前記ＵＥが前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うように構成された少なくとも１つのプロセッサと、
前記少なくとも１つのプロセッサに結合されたメモリと
を備える、装置。
【請求項１４】
前記少なくとも１つのプロセッサが、前記時間期間の間にＱｏＳ義務の前記識別なしに、送信されるべき制御データの前記識別があるとき、前記第１の論理チャネルに前記アップリンクリソースの少なくとも一部分を割り当てるようにさらに構成された、請求項１３に記載の装置。
【請求項１５】
前記少なくとも１つのプロセッサが、
前記時間期間の間に第２の論理チャネルに前記アップリンクリソースの少なくとも一部分を割り当てる第２のＱｏＳ義務を前記ＵＥが有するかどうかを識別することと、前記第２の論理チャネルが、前記第１の論理チャネルよりも低い優先順位を有する、
前記ＵＥから送信されるべきである任意の制御データを前記第２の論理チャネルが有するかどうかを識別することと、
前記第２の論理チャネルにアップリンクリソースを割り当てる前記第２のＱｏＳ義務を前記ＵＥが有するとき、および前記時間期間の間に前記第１の論理チャネルに前記アップリンクリソースの少なくとも一部分を割り当てる前記ＱｏＳ義務の前記識別なしに、送信されるべき制御データの前記識別があるとき、前記第１の論理チャネルに前記アップリンクリソースの少なくとも一部分を割り当てることと
を行うようにさらに構成された、請求項１４に記載の装置。
【請求項１６】
前記少なくとも１つのプロセッサが、前記時間期間の間に前記第２の論理チャネルへのアップリンクリソースの任意の割当てより先に前記第１の論理チャネルに前記アップリンクリソースの少なくとも一部分を割り当てるようにさらに構成された、請求項１５に記載の装置。
【請求項１７】
前記第１の論理チャネルが、前記第２の論理チャネルの優先データレートよりも大きい優先データレートを有する、請求項１５に記載の装置。
【請求項１８】
前記少なくとも１つのプロセッサが、前記第１の論理チャネルに関係する前記ＱｏＳ義務が満たされたことを識別する前記第１の論理チャネルのために確立された変数のステータスに基づいて、前記第１の論理チャネルに前記アップリンクリソースを割り当てるＱｏＳ義務を前記ＵＥが有するかどうかを識別するようにさらに構成された、請求項１３に記載の装置。
【請求項１９】
前記変数が、前記第１の論理チャネルの優先ビットレート（ＰＢＲ）と前記時間期間に関連する伝送時間間隔（ＴＴＩ）とに基づく、請求項１８に記載の装置。
【請求項２０】
前記少なくとも１つのプロセッサが、
前記第１の論理チャネルが送信されるべき制御データを有することと、前記時間期間の間に前記第１の論理チャネルに前記アップリンクリソースの少なくとも一部分を割り当てるＱｏＳ義務があることとを識別することと、
前記第１の論理チャネルに前記アップリンクリソースの少なくとも一部分を割り当てることと、
第１の論理チャネルユーザデータと前記第１の論理チャネル制御データとを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、請求項１３に記載の装置。
【請求項２１】
前記少なくとも１つのプロセッサが、
前記時間期間の間に前記第１の論理チャネルにアップリンクリソースを割り当てるＱｏＳ義務なしに送信されるべき制御データを前記第１の論理チャネルが有することを識別することと、
前記第１の論理チャネルに前記アップリンクリソースの少なくとも一部分を割り当てることと、
前記第１の論理チャネル制御データを含む少なくとも１つのプロトコルデータユニット（ＰＤＵ）を形成することと、
前記時間期間中に前記第１の論理チャネルに割り当てられた前記アップリンクリソースを使用して前記少なくとも１つのＰＤＵを送信することと
を行うようにさらに構成された、請求項１４に記載の装置。
【請求項２２】
制御データが、ｅＮＢから受信したデータに対応する無線リンク制御（ＲＬＣ）データを備える、請求項１３に記載の装置。
【請求項２３】
ロングタームエボリューション（ＬＴＥ）ワイヤレス通信ネットワーク内のユーザ機器（ＵＥ）による論理チャネル優先順位付けのための装置であって、
時間期間の間に前記ＵＥにおいてアップリンクリソースの割当てを受信するための手段と、
前記ＵＥが、前記時間期間の間に第１の論理チャネルに前記アップリンクリソースの少なくとも一部分を割り当てるサービス品質（ＱｏＳ）義務を有するかどうかを識別するための手段と、
前記第１の論理チャネルが、前記時間期間の間に、前記ＵＥから送信されるべき制御データを有するかどうかを識別するための手段と、
前記ＵＥが、前記時間期間の間に前記第１の論理チャネルに前記アップリンクリソースの少なくとも一部分を割り当てるＱｏＳ義務を有するかどうか、または
前記第１の論理チャネルが、前記ＵＥから送信されるべき制御データを有するかどうか
のうちの少なくとも１つに基づいて、前記第１の論理チャネルに前記アップリンクリソースの少なくとも一部分を割り当てるための手段と
を備える、装置。
【請求項２４】
前記第１の論理チャネルに前記アップリンクリソースの少なくとも一部分を割り当てるための手段が、前記時間期間の間にＱｏＳ義務の前記識別なしに、送信されるべき制御データの前記識別があるとき、前記第１の論理チャネルに前記アップリンクリソースの少なくとも一部分を割り当てるための手段を含む、請求項２３に記載の装置。
【請求項２５】
前記第１の論理チャネルに前記アップリンクリソースを割り当てるＱｏＳ義務を前記ＵＥが有するかどうかを前記識別することが、前記第１の論理チャネルに関係する前記ＱｏＳ義務が満たされたことを識別する前記第１の論理チャネルのために確立された変数のステータスに基づく、請求項２３に記載の装置。
【請求項２６】
前記変数が、前記第１の論理チャネルの優先ビットレート（ＰＢＲ）と、前記時間期間に関連する伝送時間間隔（ＴＴＩ）とに基づく、請求項２５に記載の装置。
【請求項２７】
前記第１の論理チャネルが送信されるべき制御データを有することと、前記時間期間の間に前記第１の論理チャネルに前記アップリンクリソースの少なくとも一部分を割り当てるＱｏＳ義務があることとを識別するための手段と、
前記第１の論理チャネルに前記アップリンクリソースの少なくとも一部分を割り当てるための手段と、
第１の論理チャネルユーザデータと前記第１の論理チャネル制御データとを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、請求項２３に記載の装置。
【請求項２８】
前記時間期間の間に前記第１の論理チャネルにアップリンクリソースを割り当てるＱｏＳ義務なしに、前記第１の論理チャネルが送信されるべき制御データを有することを識別するための手段と、
前記第１の論理チャネルに前記アップリンクリソースの少なくとも一部分を割り当てるための手段と、
前記第１の論理チャネル制御データを含む少なくとも１つのプロトコルデータユニット（ＰＤＵ）を形成するための手段と、
前記時間期間中に前記第１の論理チャネルに割り当てられた前記アップリンクリソースを使用して前記少なくとも１つのＰＤＵを送信するための手段と
をさらに備える、請求項２４に記載の装置。
【請求項２９】
ロングタームエボリューション（ＬＴＥ）ワイヤレス通信ネットワーク内のユーザ機器（ＵＥ）によるワイヤレス通信のためのコンピュータプログラム製品であって、
時間期間の間に前記ＵＥにおいてアップリンクリソースの割当てを受信することと、
前記ＵＥが、前記時間期間の間に第１の論理チャネルに前記アップリンクリソースの少なくとも一部分を割り当てるサービス品質（ＱｏＳ）義務を有するかどうかを識別することと、
前記第１の論理チャネルが、前記時間期間の間に、前記ＵＥから送信されるべき制御データを有するかどうかを識別することと、
前記ＵＥが、前記時間期間の間に前記第１の論理チャネルに前記アップリンクリソースの少なくとも一部分を割り当てるＱｏＳ義務を有するかどうか、または
前記第１の論理チャネルが前記ＵＥから送信されるべき制御データを有するかどうか
のうちの少なくとも１つに基づいて前記第１の論理チャネルに前記アップリンクリソースの少なくとも一部分を割り当てることと
を行うためのコードを備えるコンピュータ可読媒体
を備える、コンピュータプログラム製品。
【請求項３０】
前記第１の論理チャネルに前記アップリンクリソースの少なくとも一部分を割り当てるための前記コードが、前記時間期間の間にＱｏＳ義務の前記識別なしに、送信されるべき制御データの前記識別があるとき、前記第１の論理チャネルに前記アップリンクリソースの少なくとも一部分を割り当てるためのコードを含む、請求項２９に記載のコンピュータプログラム製品。
【発明の詳細な説明】
【技術分野】
【０００１】
米国特許法第１１９条に基づく優先権の主張
[0001]  本出願は、その全体が参照により本明細書に組み込まれる、２０１２年１１月１５日に出願された米国仮特許出願第６１／７２６，８６６号の利益を主張する。
【０００２】
[0002]  本開示の態様は、一般に、通信システムの１つまたは複数の部分に関し、より詳細には、ロングタームエボリューション（ＬＴＥ：Long Term Evolution）ワイヤレス通信ネットワーク内のユーザ機器（ＵＥ：user equipment）のための論理チャネルサービス品質（ＱｏＳ：quality of service）義務（obligation）および／または制御データに基づく論理チャネル優先順位付け（prioritization）のための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥ／ＬＴＥアドバンスト（LTE-Advanced）は、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットを提供する。ＬＴＥは、スペクトル効率を改善することによってモバイルブロードバンドインターネットアクセスをより良くサポートすること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することを行うように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、ロングタームエボリューション（ＬＴＥ）ワイヤレス通信ネットワーク内のユーザ機器（ＵＥ）による論理チャネル優先順位付けのための方法が提供される。本方法は、概して、時間期間（time period）の間にＵＥにおいてアップリンクリソースの割当てを受信することと、時間期間の間に第１の論理チャネルにアップリンクリソースの少なくとも一部分を割り当てるサービス品質（ＱｏＳ）義務をＵＥが有するかどうかを識別することと、時間期間の間に、ＵＥから送信されるべき制御データを第１の論理チャネルが有するかどうかを識別することと、（ａ）時間期間の間に第１の論理チャネルにアップリンクリソースの少なくとも一部分を割り当てるＱｏＳ義務をＵＥが有するかどうか、または（ｂ）ＵＥから送信されるべき制御データを第１の論理チャネルが有するかどうかのうちの少なくとも１つに基づいて第１の論理チャネルにアップリンクリソースの少なくとも一部分を割り当てることとを含む。
【０００６】
[0006]  本開示の一態様では、ＬＴＥワイヤレス通信ネットワーク内のＵＥによるワイヤレス通信のための装置が提供される。本装置は、概して、時間期間の間にＵＥにおいてアップリンクリソースの割当てを受信することと、時間期間の間に第１の論理チャネルにアップリンクリソースの少なくとも一部分を割り当てるＱｏＳ義務をＵＥが有するかどうかを識別することと、時間期間の間に、ＵＥから送信されるべき制御データを第１の論理チャネルが有するかどうかを識別することと、（ａ）時間期間の間に第１の論理チャネルにアップリンクリソースの少なくとも一部分を割り当てるＱｏＳ義務をＵＥが有するかどうか、または（ｂ）ＵＥから送信されるべき制御データを第１の論理チャネルが有するかどうかのうちの少なくとも１つに基づいて第１の論理チャネルにアップリンクリソースの少なくとも一部分を割り当てることとを行うように構成された少なくとも１つのプロセッサを含む。本装置はまた、少なくとも１つのプロセッサと結合されたメモリを含む。
【０００７】
[0007]  本開示の一態様では、ＬＴＥワイヤレス通信ネットワーク内のＵＥによる論理チャネル優先順位付けのための装置が提供される。本装置は、概して、時間期間の間にＵＥにおいてアップリンクリソースの割当てを受信するための手段と、時間期間の間に第１の論理チャネルにアップリンクリソースの少なくとも一部分を割り当てるＱｏＳ義務をＵＥが有するかどうかを識別するための手段と、時間期間の間に、ＵＥから送信されるべき制御データを第１の論理チャネルが有するかどうかを識別するための手段と、（ａ）時間期間の間に第１の論理チャネルにアップリンクリソースの少なくとも一部分を割り当てるＱｏＳ義務をＵＥが有するかどうか、または（ｂ）ＵＥから送信されるべき制御データを第１の論理チャネルが有するかどうかのうちの少なくとも１つに基づいて第１の論理チャネルにアップリンクリソースの少なくとも一部分を割り当てるための手段とを含む。
【０００８】
[0008]  本開示の一態様では、ＬＴＥワイヤレス通信ネットワーク内のＵＥによるワイヤレス通信のためのコンピュータプログラム製品が提供される。本コンピュータプログラム製品は、概して、時間期間の間にＵＥにおいてアップリンクリソースの割当てを受信することと、時間期間の間に第１の論理チャネルにアップリンクリソースの少なくとも一部分を割り当てるＱｏＳ義務をＵＥが有するかどうかを識別することと、時間期間の間に、ＵＥから送信されるべき制御データを第１の論理チャネルが有するかどうかを識別することと、（ａ）時間期間の間に第１の論理チャネルにアップリンクリソースの少なくとも一部分を割り当てるＱｏＳ義務をＵＥが有するかどうか、または（ｂ）ＵＥから送信されるべき制御データを第１の論理チャネルが有するかどうかのうちの少なくとも１つに基づいて第１の論理チャネルにアップリンクリソースの少なくとも一部分を割り当てることとを行うためのコードを有するコンピュータ可読媒体を含む。
【０００９】
[0009]  説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００１０】
[0010]  以下の図面を参照すれば、本発明の性質および利点のさらなる理解が得られ得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１１】
【図１】[0011]  本開示のいくつかの態様による、例示的なワイヤレス通信システムを示す図。
【図２】[0012]  本開示のいくつかの態様による、ワイヤレス通信システムにおけるネットワークアーキテクチャの一例を示す図。
【図３】[0013]  本開示のいくつかの態様による、ＬＴＥにおけるユーザプレーンおよび制御プレーンのための無線プロトコルアーキテクチャの一例を示す図。
【図４】[0014]  本開示のいくつかの態様による、連続する時間間隔における異なる論理チャネルのトークンバケット値（token bucket value）の一例を示す図。
【図５】[0015]  本開示のいくつかの態様による、ユーザ機器（ＵＥ）の一例のブロック図。
【図６】[0016]  本開示のいくつかの態様による、ワイヤレス通信システムにおけるユーザ機器（ＵＥ）および基地局（ＢＳ）のブロック図。
【図７】[0017]  本開示のいくつかの態様による、論理チャネルのために存在し得るサービス品質（ＱｏＳ）義務および／または制御データに基づいた論理チャネル優先順位付けのための例示的な動作を示す図。
【図８】[0018]  本開示のいくつかの態様による、論理チャネルのために存在し得るＱｏＳ義務および／または制御データに基づいた論理チャネル優先順位付けのための例示的な動作を示す図。
【図９】[0019]  本開示のいくつかの態様による、論理チャネルのために存在し得るＱｏＳ義務および／または制御データに基づいた論理チャネル優先順位付けのための例示的な動作を示す図。
【図１０】[0020]  本開示のいくつかの態様による、論理チャネル優先順位付け、および論理チャネルに関連するデータを送信することのための例示的な動作を示す図。
【図１１】[0021]  本開示のいくつかの態様による、論理チャネル優先順位付け、および論理チャネルに関連するデータを送信することのための例示的な動作を示す図。
【発明を実施するための形態】
【００１２】
[0022]  ロングタームエボリューション（ＬＴＥ）ワイヤレス通信ネットワーク内のユーザ機器（ＵＥ）による論理チャネル優先順位付けのための方法、システム、デバイスおよび／または装置について説明する。ＵＥは、ＵＥの１つまたは複数のアプリケーションあるいはサービスにそれぞれ関連する複数の論理チャネルを有し得る。いくつかのワイヤレスネットワークでは、ＵＥは、特定の論理チャネルにリソースを割り当てるサービス品質（ＱｏＳ）義務がない場合に論理チャネルにいかなるアップリンクリソースをも割り当てないことがある。しかしながら、場合によっては、ＵＥは、論理チャネルのための送信されるべき制御データを有し得、そのような制御データの送信の遅延は、ＵＥにおいて望ましくない挙動を生じ得る。
【００１３】
[0023]  いくつかの態様によれば、本開示は、時間期間の間に論理チャネルにアップリンクリソースの少なくとも一部分を割り当てるＱｏＳ義務が存在するかどうかを識別し、さらに、論理チャネルがＵＥから送信されるべき制御データを有するかどうかを識別するＵＥを提供する。論理チャネルのためのＱｏＳ義務および／または制御データが存在する場合、ＵＥは、論理チャネルにアップリンクリソースの少なくとも一部分を割り当て得る。ＵＥは、特定の論理チャネルに関連するトークンバケット（token bucket）の値によってＱｏＳ義務を識別し、さらに、アップリンクリソースを使用して基地局（ＢＳ）に送信されるべきである制御データを論理チャネルが有するかどうかを判断し得る。一態様によれば、ＱｏＳ義務がないことをトークンバケットが示し、論理チャネルのための制御データがある場合、アップリンクリソースは、確立された論理チャネル優先順位に従って論理チャネルに割り当てられ得る。別の態様によれば、ＱｏＳ義務がないことをトークンバケットが示し、論理チャネルのための制御データがない場合、アップリンクリソースは、論理チャネルに割り当てられないことがある。
【００１４】
[0024]  本明細書では特定の態様が記載されるが、これらの態様の多くの変形形態および置換は本開示の範囲内に入る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００１５】
[0025]  好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。発明を実施するための形態および図面は、本開示を限定するものではなく説明するものにすぎず、本開示の範囲は添付の特許請求の範囲およびそれの均等物によって定義される。
【００１６】
[0026]  本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００１７】
[0027]  図１に、本開示の態様が採用され得るワイヤレス通信システム１００の一例を示す。システム１００は、基地局（ＢＳ）１０５（またはセル）と、通信デバイス１１５と、基地局コントローラ（ＢＳＣ）１２０と、コアネットワーク１２５とを含み得る。一態様では、図示されていないが、コントローラ１２０は、コアネットワーク１２５に統合され得る。システム１００は、複数のキャリア（たとえば、異なる周波数の波形信号）上での動作をサポートし得る。マルチキャリア送信機は、複数のキャリア上で同時に被変調信号を送信し得る。たとえば、各被変調信号は、上記で説明した様々な無線技術に従って変調されたマルチキャリアチャネルであり得る。各被変調信号は、異なるキャリア上で送られ得、制御情報（たとえば、パイロット信号、制御チャネルなど）、オーバーヘッド情報、データなどを搬送し得る。システム１００は、ネットワークリソースを効率的に割り当てることが可能なマルチキャリアＬＴＥネットワークであり得る。
【００１８】
[0028]  ＢＳ１０５は、基地局アンテナ（図示せず）を介してデバイス１１５とワイヤレス通信し得る。ＢＳ１０５は、複数のキャリアを介してＢＳＣ１２０の制御下でデバイス１１５と通信し得る。ＢＳ１０５サイトの各々は、それぞれの地理的エリアに通信カバレージを与え得る。いくつかの実施形態では、ＢＳ１０５は、送受信基地局、無線基地局、アクセスポイント（ＡＰ）、無線トランシーバ、基本サービスセット（ＢＳＳ：basic service set）、拡張サービスセット（ＥＳＳ：extended service set）、ノードＢ、拡張ノードＢ（ｅＮＢ：enhanced NodeB）、ホームノードＢ、ホームｅノードＢ、または何らかの他の好適な用語と呼ばれることがある。（たとえば、図１に示す）各ＢＳ１０５のカバレージエリアは、１１０−ａ、１１０−ｂ、または１１０−ｃとして識別される。ＢＳのカバレージエリアは、カバレージエリアの一部分のみを構成するセクタ（たとえば、セクタ１１２−ｂ−１、１１２−ｂ−２、１１２−ｂ−３など）に分割され得る。システム１００は、異なるタイプのＢＳ１０５（たとえば、マクロＢＳ、ピコＢＳ、および／またはフェムトＢＳ）を含み得る。マクロＢＳは、比較的大きい地理的エリア（たとえば、半径３５ｋｍ）に通信カバレージを与え得、ピコＢＳは、比較的小さい地理的エリア（たとえば、半径１２ｋｍ）にカバレージを与え得、フェムトＢＳは、比較的より小さい地理的エリア（たとえば、半径５０ｍ）に通信カバレージを与え得る。異なる技術のための重複するカバレージエリアがあり得る。
【００１９】
[0029]  デバイス１１５はカバレージエリア１１０全体にわたって分散され得る。各デバイス１１５は、固定またはモバイルであり得る。一構成では、デバイス１１５は、リンク１３０を介して、限定はしないが、マクロＢＳ、ピコＢＳ、およびフェムトＢＳなどの異なるタイプのＢＳと通信することが可能であり得る。リンク１３０は、ＢＳ１０５からデバイス１１５への送信を可能にする通信リンクであり得、ＢＳ１０５からデバイス１１５へのダウンリンク通信および／またはデバイス１１５からＢＳ１０５へのアップリンク通信を含み得る。代替的に、ダウンリンクは順方向リンクまたは順方向チャネルと呼ばれることがあり、アップリンクは逆方向リンクまたは逆方向チャネルと呼ばれることがある。デバイス１１５は、たとえば、いくつかの例を挙げれば、ボイス通信、テキストメッセージ、電子メールアクセス、インターネットなどのリモートネットワークへのネットワークアクセス、およびリモートコンピュータとの間のファイル転送など、ユーザに複数の異なるサービスを提供することが可能であり得る。そのような各サービスは、良好なユーザエクスペリエンスを有するためにデバイス１１５が維持しようと試みる関連するサービス品質（ＱｏＳ）ターゲットを有し得る。異なるサービスをサポートするデバイス１１５内の異なるサービス、ＱｏＳ、および論理チャネルについて以下でより詳細に説明する。デバイス１１５は、移動局、モバイルデバイス、アクセス端末（ＡＴ）、ユーザ機器（ＵＥ）、加入者局（ＳＳ）、加入者ユニット、または何らかの他の好適な用語と呼ばれることがある。デバイス１１５は、セルラーフォンとワイヤレス通信デバイスとを含み得るが、携帯情報端末（ＰＤＡ）、他のハンドヘルドデバイス、ネットブック、ノートブックコンピュータ、タブレットコンピュータなどをも含み得る。
【００２０】
[0030]  一例では、ネットワークコントローラ１２０は、ＢＳのセットに結合され、これらのＢＳ１０５の協調および制御を行い得る。コントローラ１２０は、バックホール（backhaul）（たとえば、コアネットワーク１２５）を介してＢＳ１０５と通信し得る。ＢＳ１０５はまた、直接または間接的におよび／あるいはワイヤレスバックホールまたはワイヤラインバックホールを介して互いに通信し得る。
【００２１】
[0031]  図２に、本開示の様々な態様による、例示的なＬＴＥ／ＬＴＥアドバンスト（ＬＴＥ−Ａ）ネットワークアーキテクチャ２００を示す。ＬＴＥ／ＬＴＥ−Ａネットワークアーキテクチャ２００は発展型パケットシステム（ＥＰＳ：Evolved Packet System）２００と呼ばれることがある。ＥＰＳ２００は、１つまたは複数のＵＥ１１５−ａと、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳ２００は他のアクセスネットワークと相互接続し得るが、簡単のために、それらのエンティティ／インターフェースは図示していない。図示のように、ＥＰＳ２００はパケット交換サービスを提供するが、当業者なら容易に諒解するように、本開示全体にわたって提示する様々な概念は、回線交換サービスを提供するネットワークに拡張され得る。
【００２２】
[0032]  Ｅ−ＵＴＲＡＮ２０４は、ｅＮＢ１０５−ａと他のｅＮＢ１０５−ｂとを含み得る。ｅＮＢ１０５−ａは、ＵＥ１１５−ａに対してユーザおよび制御プレーンプロトコル終了を与え得る。ｅＮＢ１０５−ａは、Ｘ２インターフェース（たとえば、バックホール）を介して他のｅＮＢ１０５−ｂに接続され得る。ｅＮＢ１０５−ａは、ＵＥ１１５−ａにＥＰＣ２１０へのアクセスポイントを与え得る。ＵＥ１１５−ａの例としては、限定はしないが、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または他の同様の機能デバイスがあり得る。上述のように、ＵＥ１１５−ａは、ユーザに複数の異なるサービスを提供することが可能であり得、そのような各サービスは、関連するＱｏＳターゲットを有し得る。異なるサービスをサポートするＵＥ１１５−ａ内の異なるサービス、ＱｏＳターゲット、および論理チャネルについて以下でより詳細に説明する。
【００２３】
[0033]  ｅＮＢ１０５−ａは、Ｓ１インターフェースによってＥＰＣ２１０に接続され得る。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ：Packet Data Network）ゲートウェイ２１８とを含み得る。ＭＭＥ２１２は、ＵＥ１１５とＥＰＣ２１０との間のシグナリングを処理する制御ノードであり得る。概して、ＭＭＥ２１２はベアラおよび接続管理を行い得る。すべてのユーザＩＰパケットはサービングゲートウェイ２１６を通して転送され得、サービングゲートウェイ２１６自体はＰＤＮゲートウェイ２１８に接続され得る。ＰＤＮゲートウェイ２１８はＵＥのＩＰアドレス割振りならびに他の機能を与え得る。ＰＤＮゲートウェイ２１８は事業者のＩＰサービス２２２に接続され得る。事業者のＩＰサービス２２２は、インターネットと、イントラネットと、ＩＰマルチメディアサブシステム（ＩＭＳ：IP Multimedia Subsystem）と、パケット交換（ＰＳ：Packet-Switched）ストリーミングサービス（ＰＳＳ：PS Streaming Service）とを含み得る。
【００２４】
[0034]  図３に、ＬＴＥにおけるユーザプレーンと制御プレーンとのための無線プロトコルアーキテクチャ３００の一例を示す。ＵＥおよびｅＮＢのための無線プロトコルアーキテクチャ３００は、レイヤ１（Ｌ１レイヤ）と、レイヤ２（Ｌ２レイヤ）と、レイヤ３（Ｌ３レイヤ）との３つのレイヤとともに示されている。Ｌ１レイヤは最下位レイヤであり、様々な物理レイヤ信号処理機能を実装する。Ｌ１レイヤは、本明細書では物理レイヤ３０６と呼ばれる。Ｌ２レイヤ３０８は、物理レイヤ３０６の上にあり、物理レイヤ３０６を介したＵＥとｅＮＢとの間のリンクを担当する。
【００２５】
[0035]  ユーザプレーンでは、Ｌ２レイヤ３０８は、ネットワーク側のｅＮＢにおいて終端される、媒体アクセス制御（ＭＡＣ：media access control）サブレイヤ３１０と、無線リンク制御（ＲＬＣ：radio link control）サブレイヤ３１２と、パケットデータコンバージェンスプロトコル（ＰＤＣＰ：packet data convergence protocol）３１４サブレイヤとを含む。図示されていないが、ＵＥは、ネットワーク側のＰＤＮゲートウェイ（たとえば、図２のＰＤＮ２１８）において終端され得るネットワークレイヤ（たとえば、ＩＰレイヤ）と、接続の他端（たとえば、ファーエンドＵＥ、サーバなど）において終端されるアプリケーションレイヤとを含むＬ２レイヤ３０８の上にいくつかの上位レイヤを有し得る。
【００２６】
[0036]  ＰＤＣＰサブレイヤ３１４は、異なる無線ベアラと論理チャネルとの間で多重化を行う。ＰＤＣＰサブレイヤ３１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ３１２は、上位レイヤデータパケットのセグメンテーションおよびリアセンブリと、消失データパケットの再送信と、ハイブリッド自動再送要求（ＨＡＲＱ：hybrid automatic repeat request）による、順序が乱れた受信（out-of-order reception）を補正するデータパケットの並べ替えとを行う。ＲＬＣサブレイヤ３１２は、論理チャネルとしてＭＡＣサブレイヤ３１０にデータをパスする。
【００２７】
[0037]  論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣ：multicast control channel）を含み得る。概して、無線リソース制御（ＲＲＣ：radio resource control）接続を確立した後、ＭＣＣＨは、ＭＢＭＳを受信するＵＥによってのみ使用される。専用制御チャネル（ＤＣＣＨ：dedicated control channel）は、ＲＲＣ接続を有するＵＥによって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのＵＥに専用のポイントツーポイント双方向チャネルである専用トラフィックチャネル（ＤＴＣＨ：dedicated traffic channel）を備え得る。また、マルチキャストトラフィックチャネル（ＭＴＣＨ）は、トラフィックデータのポイントツーマルチポイントダウンリンク送信のために使用され得る。
【００２８】
[0038]  上述のように、ＵＥは、たとえば、いくつかの例を挙げれば、ボイス通信、テキストメッセージ、電子メールアクセス、インターネットなどのリモートネットワークへのネットワークアクセス、およびリモートコンピュータとの間のファイル転送など、ユーザに複数の異なるサービスを提供することが可能であり得る。そのような各サービスは、良好なユーザエクスペリエンスを有するためにＵＥが維持しようと努める関連するサービス品質（ＱｏＳ）ターゲットを有し得る。いくつかの例によれば、ＵＥは、ＵＥがユーザに提供している別個のサービスのための論理チャネルを有し得る。ＭＡＣサブレイヤ３１０は、論理チャネルとトランスポートチャネルとの間の多重化を行う。ＭＡＣサブレイヤ３１０はまた、ＵＥの間で１つのセル内の様々な無線リソース（たとえば、リソースブロック）を割り当てることを担当する。ＭＡＣサブレイヤ３１０はまたＨＡＲＱ動作を担当する。ＭＡＣレイヤは、論理チャネルデータをフォーマットし、トランスポートチャネルとして物理レイヤ３０６に送る。
【００２９】
[0039]  ＤＬトランスポートチャネルは、ブロードキャストチャネル（ＢＣＨ：broadcast channel）、ダウンリンク共有データチャネル（ＤＬ−ＳＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）と、要求チャネル（ＲＥＱＣＨ：request channel）と、アップリンク共有データチャネル（ＵＬ−ＳＤＣＨ：uplink shared data channel）と、複数の物理チャネルとを含み得る。物理チャネルはまた、ダウンリンクチャネルとアップリンクチャネルとのセットを含み得る。いくつかの態様によれば、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ：physical downlink control channel）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ：physical uplink control channel）および物理アップリンク共有チャネル（ＰＵＳＣＨ：physical uplink shared channel）のうちの少なくとも１つを含み得る。
【００３０】
[0040]  制御プレーンでは、ＵＥおよびｅＮＢのための無線プロトコルアーキテクチャ３００は、制御プレーンのためのヘッダ圧縮機能がないことを除いて、物理レイヤ３０６およびＬ２レイヤ３０８に対して実質的に同じである。制御プレーンはまた、レイヤ３（Ｌ３レイヤ）中に無線リソース制御（ＲＲＣ）サブレイヤ３１６を含む。ＲＲＣサブレイヤ３１６は、無線リソース（すなわち、無線ベアラ）を取得することと、ｅＮＢとＵＥとの間のＲＲＣシグナリングを使用して下位レイヤを構成することとを担当する。
【００３１】
[0041]  上述のように、ＵＥは、ユーザに複数の異なるサービスを提供することが可能であり得、ＵＥは、そのようなサービスのうちの１つまたは複数のための異なる論理チャネルを有し得る。さらに、異なるサービスは、良好なユーザエクスペリエンスを有するためにＵＥが維持しようと努める関連するＱｏＳターゲットを有し得る。論理チャネルは、たとえば、論理チャネルによって与えられたサービスのＱｏＳ要件に基づいてＵＥのＭＡＣレイヤ内で優先順位付けされ得る。たとえば、リアルタイムボイス通信サービスは、高いＱｏＳ要件を有し得、このサービスのための論理チャネルは、たとえば、ＵＥとの間のＦＴＰファイル転送をサポートし得る論理チャネルに対して高い優先順位を有し得る。いくつかの例では、論理チャネルは１から１６までの優先順位が与えられ得、１のチャネル優先順位が最高優先順位であり、１６のチャネル優先順位が最低優先順位である。場合によっては、動作中に、論理チャネルのうちの１つまたは複数がｅＮＢに送信されるべきデータを有する場合、ＵＥは、ｅＮＢにスケジューリング要求（ＳＲ：Scheduling Request）を転送し得る。ｅＮＢは、ＳＲに応答して、定義された伝送時間間隔（ＴＴＩ：Transmission Time Interval）の間のアップリンク（ＵＬ）割当てをＵＥに許可し得る。ＵＥへのＵＬ割当ては、次いで、アクティブ論理チャネルのチャネル優先順位付けに基づいてＵＥによって分割される。論理チャネルからのデータは、サービスデータユニット（ＳＤＵ：Service Data Unit）を構築するために使用される。ＳＤＵは、ＭＡＣレイヤにおいて形成されるデータの単位であり、そのうちの１つまたは複数がＰＤＵを形成するために使用され得る。
【００３２】
[0042]  いくつかの態様によれば、論理チャネル優先順位付けは、新しい送信が実行されるときに適用され得る。ＲＲＣは、論理チャネルごとに、チャネルのためのチャネル優先順位、優先データレートまたは優先ビットレート（ＰＢＲ：Prioritized Bit Rate）をシグナリングすることによってアップリンクデータのスケジューリングを制御する。優先ビットレートは、いくつかの例では、８、１６、３２、６４、または１２８ｋｂｐｓに設定され得る。論理チャネルｊごとに、ＵＥは、特定の論理チャネルにＵＬリソースを割り当てる、ＵＥのためのＱｏＳ義務があるかどうかの指示を含むトークンバケットを維持し得る。ＵＥは、そのような場合、トークンバケットのステータスを示すために、論理チャネルｊごとに変数「Ｂｊ」を維持し得る。Ｂｊは、関係する論理チャネルが確立されたときに０に初期化され、ＴＴＩごとに積ＰＢＲ×ＴＴＩ持続時間だけ増分され得、ここで、ＰＢＲは、論理チャネルｊの優先ビットレートである。動作中、ＵＥは、新しい送信が実行されるときに論理チャネル優先順位付けプロシージャを実行し得る。本プロシージャでは、ＵＥは、以下のステップで論理チャネルにリソースを割り当て得る。
【００３３】
ステップ１：Ｂｊ＞０であるすべての論理チャネルは、降順の優先順位でリソースを割り当てられる。
【００３４】
ステップ２：ＵＥは、ステップ１において論理チャネルｊにサービスされたＭＡＣ  ＳＤＵの総サイズだけＢｊを減分する。Ｂｊの値が負となり得ることに留意されたい。
【００３５】
ステップ３：リソースが残っている場合、すべての論理チャネルは、論理チャネルのためのデータが枯渇するか、またはＵＬ許可が枯渇するかどちらか早い方が来るまで、（Ｂｊの値にかかわらず）降順の優先順位でサービスされる。等しい優先順位で構成された論理チャネルは、等しくサービスされるべきである。
【００３６】
[0043]  いくつかの態様によれば、論理チャネル優先順位付けプロシージャの結果として、異なる優先順位をもつ複数のアクティブ論理チャネルを有するＵＥは、比較的小さいＰＢＲを有し得る。さらに、ＵＬ許可が比較的大きい状況において、トークンバケットレベル（token bucket level）（Ｂｊ）は、チャネルごとに負になり得、非負に戻るまで時間がかかり得る。Ｂｊ値の例を、そのような状況について図４の表に示す。この例では、ＵＥは、各々が異なる優先順位と異なるＰＢＲとを有するチャネル１〜３の３つの論理チャネルを有する。この例では、ＴＴＩは１ｍｓであり得る。上記で説明した論理チャネル優先順位付けプロシージャに従って、論理チャネル１〜３の各々は、ＴＴＩ３までに０以下であるＢｊの値を有し得る。論理チャネル１の例では、Ｂｊの値は、ＴＴＩ２から負となる。この例では、論理チャネル１が、ＨＡＲＱ  ＡＣＫ／ＮＡＣＫ応答など、ｅＮＢに送信され戻されるべき制御データを有する場合、このチャネルは、Ｂｊのそれの値が０よりも大きくなるまでいかなるＵＬリソースも割り当てられないことになる。そのような状況は、ＵＥがそのような制御データを送信する際の遅延を生じ得、場合によっては、ｅＮＢが、ＵＥに何らかのタイプの障害が発生したと仮定し、ＲＲＣ再確立プロシージャを開始するなど、不都合な結果を生じ得る。したがって、本開示のいくつかの態様によれば、ＵＥはまた、チャネルのＢｊ値がしきい値を満たさない（たとえば、０よりも大きくない）場合でも送られるべき制御データを論理チャネルが有するかどうかを識別し得る。一態様では、論理チャネルが送信されるべき制御データを有し、Ｂｊがしきい値を満たさない場合、ＵＥは、制御データを送信するために論理チャネルの優先順位付けに従って論理チャネルにＵＬリソースを割り当て得る。制御データおよび／またはＱｏＳ義務に関係するデータのＵＬ割当ての例については、以下でより詳細に説明する。
【００３７】
[0044]  図５に、本開示のいくつかの態様による、論理チャネルのためのＱｏＳ義務および／または制御データに基づいて論理チャネル優先順位付けを実行する例示的なワイヤレス通信システム５００を示す。システム５００は、上記で説明したのと同様に、１つまたは複数のワイヤレスネットワークへのアクセスを受信するためにＢＳ１０５−ｃと通信し得るＵＥ１１５−ｂを含む。ＵＥ１１５−ｂは、図１〜図２のデバイス１１５の一例であり得る。ＵＥ１１５−ｂは、上記で説明したのと同様に、受信機モジュール５１０と送信機モジュール５１５とに通信可能に結合された１つまたは複数のアンテナ５０５を含み得、受信機モジュール５１０と送信機モジュール５１５とは制御モジュール５２０に通信可能に結合され得る。制御モジュール５２０は、１つまたは複数のプロセッサモジュール５２５と、ソフトウェア５３５を含み得るメモリ５３０と、多重化およびアセンブリモジュール５４０とを含み得る。ソフトウェア５３５は、プロセッサモジュール５２５ならびに／または多重化およびアセンブリモジュール５４０が実行するためのものであり得る。
【００３８】
[0045]  プロセッサモジュール５２５は、たとえば、中央処理ユニット（ＣＰＵ）、マイクロコントローラ、特定用途向け集積回路（ＡＳＩＣ）など、インテリジェントハードウェアデバイスを含み得る。メモリ５３０は、ランダムアクセスメモリ（ＲＡＭ）および読取り専用メモリ（ＲＯＭ）を含み得る。メモリ５３０は、実行されたとき（またはコンパイルされ、実行されたとき）、本明細書で説明する様々な機能（たとえば、タイミング調整ストレージ、タイミング調整情報に関連するタイマーを維持すること、タイミング情報の有効性判断、タイミング情報更新など）を実行することをプロセッサモジュール５２５ならびに／または多重化およびアセンブリモジュール５４０に行わせるように構成された命令を含んでいるコンピュータ可読、コンピュータ実行可能ソフトウェアコード５３５を記憶し得る。  多重化およびアセンブリモジュール５４０は、プロセッサモジュール５２５の一部として実装され得、または、たとえば、１つまたは複数の別個のＣＰＵまたはＡＳＩＣを使用して実装され得る。送信機モジュール５１５は、上記で説明したように、１つまたは複数のワイヤレス通信ネットワーク（たとえば、Ｅ−ＵＴＲＡＮ、ＵＴＲＡＮなど）との通信を確立するためにＢＳ１０５−ｃ（および／または他のＢＳ）に送信し得る。受信機モジュール５１０は、上記で説明したように、ＢＳ１０５−ｃ（および／または他のＢＳ）からダウンリンク送信を受信し得る。ダウンリンク送信はＵＥ１１５−ｂにおいて受信され、処理される。
【００３９】
[0046]  多重化およびアセンブリモジュール５４０は、論理チャネル優先順位付けモジュール５４５と、トークンバケットモジュール５５０と、ＵＬリソース割振りモジュール５５５と、ＰＤＵアセンブリモジュール５６０とを含み得る。上記で説明したように、ＵＥ１１５−ｂは、ＢＳ１０５−ｃからＵＥ１１５−ｂに与えられたＵＬ割当てを共有し得る複数の論理チャネルを有し得る。いくつかの態様によれば、ＵＬリソース割当てモジュール５５５は、時間期間（たとえば、ＴＴＩ）の間にＢＳ１０５−ｃからアップリンクリソースの割当てを受信し得、論理チャネル優先順位付けモジュール５４５は、時間期間の間に第１の論理チャネルにアップリンクリソースの少なくとも一部分を割り当てるＱｏＳ義務をＵＥ１１５−ｂが有するかどうかを識別し得る。トークンバケットモジュール５５０は、時間期間の間に、送信されるべきＱｏＳ関連データおよび／または制御データを第１の論理チャネルが有するかどうかを識別するように動作し得る。トークンバケットモジュール５５０がＱｏＳ関連データまたは制御データのうちの１つまたは複数を識別する場合、ＵＬリソース割当てモジュール５５５は、第１の論理チャネルにアップリンクリソースの少なくとも一部分を割り当て得る。ＰＤＵアセンブリモジュール５６０は、次いで、送信のために適切なＰＤＵに送信されるべきデータをアセンブルし得る。
【００４０】
[0047]  いくつかの態様によれば、複数の論理チャネルが存在する状況において、論理チャネル優先順位付けモジュール５４５はチャネルを識別し得、トークンバケットモジュール５５０が、時間期間の間に追加の論理チャネルにアップリンクリソースの少なくとも一部分を割り当てる第２の（または第３の、または第４のなどの）ＱｏＳ義務をＵＥ１１５−ｂが有するかどうかを識別し得、追加のチャネルは、第１の論理チャネルよりも低い優先順位を有する。トークンバケットモジュール５５０は、さらに、ＵＥから送信されるべきである制御データを他の論理チャネルのいずれかが有するかどうかを識別し得る。ＵＬリソース割当てモジュール５５５は、次いで、追加の論理チャネルにＵＬリソースを割り当て得る。上述のように、第１の論理チャネルにアップリンクリソースを割り当てるＱｏＳ義務を第１の論理チャネルが有さないが、第１の論理チャネルが制御データを有することをトークンバケットモジュールが示す場合、ＵＬリソース割当てモジュール５５５は、他の論理チャネルへのリソースの割当てより先に第１の優先順位として第１の論理チャネルにリソースを割り当て得る。ＰＤＵアセンブリモジュール５６０は、次いで、送信のために適切なＰＤＵに送信されるべきデータをアセンブルし得る。制御とデータの両方が送信されるべきである場合、ＰＤＵアセンブリモジュール５６０は、論理チャネルのためのデータＰＤＵと制御ＰＤＵの両方を構築する。論理チャネルデータのみが送信されるべきである場合、ＰＤＵアセンブリモジュール５６０は、論理チャネルのためのデータＰＤＵを構築し、制御データのみが送信されるべきである場合、ＰＤＵアセンブリモジュール５６０は、論理チャネルのための制御ＰＤＵを構築する。
【００４１】
[0048]  図６に、本開示のいくつかの態様による、ＢＳ１０５−ｄとＵＥ１１５−ｃとを含むシステム６００のブロック図を示す。システム６００は、図１のシステム１００、図２のＵＥ１１５−ａおよびＥ−ＵＴＲＡＮ２０４、および／または図５のシステム５００の一例であり得る。ＢＳ１０５−ｄはアンテナ６５２−ａ〜６５２−ｎを装備し得、ＵＥ１１５−ｃはアンテナ６３４−ａ〜６３４−ｘを装備し得る。ＵＥ１１５−ｃおよびＢＳ１０５−ｄは、上記で説明したのと同様に、たとえば、Ｅ−ＵＴＲＡＮ、ＵＴＲＡＮ、およびＧＥＲＡＮなど、１つまたは複数のワイヤレス通信ネットワークのネットワークプロトコルに従って通信し得る。ＵＥ１１５−ｃにおいて、送信（ＴＸ）プロセッサ６２０は、データソース、プロセッサ６４０、および／または多重化およびアセンブリモジュール６４４からデータを受信し得る。多重化およびアセンブリモジュール６４４は、ＵＥの論理チャネルからのアップリンク通信を実行するか、またはその実行を支援し得る。一態様では、ＵＥ１１５−ｃは、ＢＳ１０５−ｄからアップリンク割当てを受信し、ＵＬ割当てを使用して１つまたは複数の論理チャネルからデータを送信し、論理チャネルからのデータは、論理チャネルのために確立されたチャネル優先順位付けに従ってアセンブルされ多重化され得る。
【００４２】
[0049]  ＴＸプロセッサ６２０は、データと制御情報とを処理（たとえば、符号化およびシンボルマッピング）して、アップリンク送信のためのタイミング調整を行った状態で、それぞれデータシンボルと制御シンボルとを取得し得る。ＴＸプロセッサ６２０はまた、基準シンボルとセル固有基準信号とを生成し得る。ＴＸ多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームをＴＸ変調器６３２−ａ〜６３２−ｘに与え得る。各変調器６３２は、（たとえば、ＯＦＤＭなどのために）それぞれの出力シンボルストリームを処理して、出力サンプルストリームを取得し得る。各変調器６３２はさらに、出力サンプルストリームを処理（たとえば、アナログ変換、増幅、フィルタ処理、およびアップコンバート）して、アップリンク信号を取得し得る。変調器６３２−ａ〜６３２−ｘからのアップリンク信号は、それぞれアンテナ６３４−ａ〜６３４−ｘを介して送信され得る。
【００４３】
[0050]  ＢＳ１０５−ｄにおいて、アンテナ６５２−ａ〜６５２−ｎは、ＵＥ１１５−ｃからアップリンク信号を受信し得、受信した信号をそれぞれ復調器６５４−ａ〜６５４−ｎに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４−ａ〜６５４−ｎから受信シンボルを取得し、適用可能な場合は受信シンボルに対してＭＩＭＯ検出を実行し、検出シンボルを与え得る。受信（ＲＸ）プロセッサ６５８が、検出シンボルを処理（たとえば、復調、デインターリーブ、および復号）し、復号されたデータをデータ出力に与え、復号された制御情報をプロセッサ６８０、および／またはメモリ６８２に与え得る。ＲＸプロセッサ６５８はまた、復号されたデータ中に存在し得るビット誤りを訂正するために、復号されたデータに対して誤り訂正を実行し得る。
【００４４】
[0051]  アップリンク上では、ＢＳ１０５−ｄにおいて、ＴＸプロセッサ６６４が、データソースからならびにプロセッサ６８０および／またはメモリ６８２からデータを受信し、処理し得る。アップリンクデータは、ＢＳ１０５−ｄのアップリンクスケジューリングモジュール６８４によって与えられた割当てに従ってＵＥ１１５−ｃから送信され得る。ＴＸプロセッサ６６４はまた、基準信号のための基準シンボルを生成し得る。ＴＸプロセッサ６６４からのシンボルは、ＴＸ  ＭＩＭＯプロセッサ６６６によってプリコーディングされ、適用可能な場合、さらに、（たとえば、ＳＣ−ＦＤＭＡなどのための）復調器６５４−ａ〜６５４−ｎによって処理され、ＵＥ１１５−ｃに送信され得る。ＵＥ１１５−ｃにおいて、ＢＳ１０５−ｄからのダウンリンク信号は、アンテナ６３４によって受信され、復調器６３２によって処理され、適用可能な場合、ＭＩＭＯ検出器６３６によって検出され、さらに、ＲＸプロセッサ６３８によって処理されて、ＢＳ１０５−ｄによって送られる復号データと制御情報とを取得し得る。ＲＸプロセッサ６３８は、データ出力に復号データを与え、プロセッサ６４０に復号制御情報を与え得る。多重化およびアセンブリモジュール６４４は、上記で説明したように、論理チャネルに優先順位を付け、アップリンク送信のためのＰＤＵを構築し得る。ＵＥ１１５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、システム６００の動作に関係する１つまたは複数の機能を実行するための手段であり得る。同様に、ＢＳ１０５−ｄの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、システム６００の動作に関係する１つまたは複数の機能および／あるいは本明細書で提供する他の機能を実行するための手段であり得る。態様では、図５のモジュールのうちの１つまたは複数は、図６のプロセッサ６４０、６３８、６２０、６３０、６４４のうちの１つまたは複数の中に含まれ得る。
【００４５】
[0052]  態様によれば、コントローラ／プロセッサ６４０および６８０は、それぞれＵＥ１１５−ｃにおける動作およびＢＳ１０５−ｄにおける動作を指示し得る。一態様によれば、ＵＥ１１５−ｃにおけるコントローラ／プロセッサ６４０、ＴＸプロセッサ６２０、ＲＸプロセッサ６３８、ＴＸ  ＭＩＭＯプロセッサ６３０ならびに／または他のプロセッサおよびモジュールは、図７中の動作７００、図８中の動作８００、図９中の動作９００、図１０中の動作１０００、図１１中の動作１１００および／または本明細書で説明する技法のための他のプロセスを実行または指示し得る。一態様によればメモリ６４２および６８２は、それぞれＵＥ１１５−ｃおよびＢＳ１０５−ｄのためのデータおよびプログラムコードを記憶し得る。
【００４６】
[0053]  図７に、本開示のいくつかの態様による、論理チャネル優先順位付けのための例示的な動作７００を示す。動作７００は、たとえば、図１、図２、図５または図６のＵＥなどのＵＥによって、またはこれらの図に関して説明したデバイスの任意の組合せを使用して、実行され得る。
【００４７】
[0054]  動作７００は、７０５において、時間期間の間にＵＥにおいてアップリンクリソースの割当てを受信することによって開始する。一態様では、時間期間は、ワイヤレス通信ネットワークの拡張ノードＢ（ｅＮＢ）またはＢＳから受信したアップリンクリソース割振りにおいて定義されている伝送時間間隔（ＴＴＩ）に対応し得る。７１０において、ＵＥは、時間期間の間に第１の論理チャネルにアップリンクリソースの少なくとも一部分を割り当てるＱｏＳ義務をＵＥが有するかどうかを識別する。一態様によれば、第１の論理チャネルにアップリンクリソースを割り当てるＱｏＳ義務をＵＥが有するかどうかを識別することは、第１の論理チャネルに関係するＱｏＳ義務が満たされたことを識別する第１の論理チャネルのために確立された変数のステータスに基づき得る。たとえば、一実装形態では、ＵＥは、論理チャネルのためのデータの存在がＱｏＳコミットメントに従って送信されるべきであることを示す変数（たとえば、図４で説明したＢｊ）を有し得る。一態様では、変数は、第１の論理チャネルの優先ビットレート（ＰＢＲ：prioritized bit rate）と時間期間に関連するＴＴＩとに基づき得る。別の態様によれば、時間期間の間に第１の論理チャネルにアップリンクリソースの少なくとも一部分を割り当てるＱｏＳ義務をＵＥが有するかどうかを識別することは、第１の論理チャネルのＰＢＲ値が、ＲＲＣシグナリングメッセージを搬送する、シグナリング無線ベアラ（signaling radio bearer）ＳＲＢ１に対応するのか、またはシグナリング無線ベアラＳＲＢ２に対応するのかに基づき得る。
【００４８】
[0055]  ７１５において、ＵＥは、時間期間の間に、ＵＥから送信されるべき制御データを第１の論理チャネルが有するかどうかを識別する。いくつかの態様によれば、そのような制御データは、たとえば、ＢＳから受信したデータに対応する無線リンク制御（ＲＬＣ）データであり得る。一態様では、ＲＬＣデータは、ＢＳから受信したデータに対応する肯定応答または否定応答（ＡＣＫ／ＮＡＣＫ）データまたは少なくとも１つのＲＬＣプロトコルデータユニット（ＰＤＵ：protocol data unit）を含み得る。
【００４９】
[0056]  ７２０において、ＵＥは、時間期間の間に第１の論理チャネルにアップリンクリソースの少なくとも一部分を割り当てるＱｏＳ義務をＵＥが有するかどうか、またはＵＥから送信されるべき制御データを第１の論理チャネルが有するかどうかのうちの少なくとも１つに基づいて第１の論理チャネルにアップリンクリソースの少なくとも一部分を割り当てる。一態様では、第１の論理チャネルにアップリンクリソースの少なくとも一部分を割り当てることは、制御データを送信するために第１の論理チャネルに十分なアップリンクリソースを割り当てることを含む。
【００５０】
[0057]  前述のように、ＵＥは、論理チャネルが送信されるべき制御データを有するとき、論理チャネルに関連するトークンバケットがしきい値を満たし得ない（たとえば、０よりも大きくない）場合であっても、論理チャネルにアップリンクリソースを割り当て得る。したがって、いくつかの態様によれば、本明細書で提供する他の態様の追加または代替として、図８に関して以下でより詳細に説明するように、第１の論理チャネルにアップリンクリソースの少なくとも一部分を割り当てることは、時間期間の間にＱｏＳ義務の識別がない場合に、送信されるべき制御データの識別があるとき、第１の論理チャネルにアップリンクリソースの少なくとも一部分を割り当てることを含み得る。図８に、本開示のいくつかの態様による、論理チャネル優先順位付けのための例示的な動作８００を示す。動作８００は、たとえば、図１、図２、図５または図６のＵＥなどのＵＥによって、またはこれらの図に関して説明したデバイスの任意の組合せを使用して、実行され得る。
【００５１】
[0058]  動作８００は、８０５において、時間期間の間にＵＥにおいてアップリンクリソースの割当てを受信することによって開始する。８１０において、ＵＥは、時間期間の間に第１の論理チャネルにアップリンクリソースの少なくとも一部分を割り当てるＱｏＳ義務をＵＥが有するかどうかを識別する。８１５において、ＵＥは、時間期間の間に、ＵＥから送信されるべき制御データを第１の論理チャネルが有するかどうかを識別する。８２０において、ＵＥは、時間期間の間にＱｏＳ義務の識別がない場合に、送信されるべき制御データの識別があるとき、第１の論理チャネルにアップリンクリソースの少なくとも一部分を割り当てる。したがって、そのような方法で、Ｂｊが（たとえば、図４に関して上記で説明したように）論理チャネルについて負になり得るが、制御データは、論理チャネルの優先順位に従って送られ続け得る。
【００５２】
[0059]  図９に、本開示のいくつかの態様による、論理チャネル優先順位付けのための他の例示的な動作９００を示す。動作９００は、たとえば、図１、図２、図５または図６のＵＥなどのＵＥによって、またはこれらの図に関して説明したデバイスの任意の組合せを使用して、実行され得る。
【００５３】
[0060]  動作９００は、９０５において、ＵＥが、第２の論理チャネルよりも高い優先順位を有する第１の論理チャネルに関連する制御データを有するがＱｏＳ義務を有さない（たとえば、Ｂｊが論理チャネルについて０よりも大きくない）ことを識別することによって開始する。９１０において、ＵＥは、時間期間の間に第２の論理チャネルにアップリンクリソースの少なくとも一部分を割り当てる第２のＱｏＳ義務をＵＥが有するかどうかを識別し、第２の論理チャネルは、第１の論理チャネルよりも低い優先順位を有する。９１５において、ＵＥは、ＵＥから送信されるべきである制御データを第２の論理チャネルが有するかどうかを識別する。９２０において、ＵＥは、第２の論理チャネルにアップリンクリソースを割り当てる第２のＱｏＳ義務をＵＥが有するとき、および時間期間の間に第１の論理チャネルにアップリンクリソースの少なくとも一部分を割り当てるＱｏＳ義務の識別がない場合に、送信されるべき制御データの識別があるとき、第１の論理チャネルにアップリンクリソースの少なくとも一部分を割り当てる。一態様によれば、第１の論理チャネルにアップリンクリソースの少なくとも一部分を割り当てることは、時間期間の間に第２の論理チャネルへのアップリンクリソースのあらゆる割当てより先に実行され得る。別の態様によれば、第１の論理チャネルは、第２の論理チャネルの優先データレートよりも大きい優先データレートを有し得る。
【００５４】
[0061]  図１０に、本開示のいくつかの態様による、論理チャネル優先順位付け、および論理チャネルに関連するデータを送信することのための例示的な動作１０００を示す。動作１０００は、たとえば、図１、図２、図５または図６のＵＥなどのＵＥによって、またはこれらの図に関して説明したデバイスの任意の組合せを使用して、実行され得る。
【００５５】
[0062]  動作１０００は、１００５において、第１の論理チャネルが送信されるべき制御データを有することと、時間期間の間に第１の論理チャネルにアップリンクリソースの少なくとも一部分を割り当てるＱｏＳ義務があることとを識別することによって開始する。一態様によれば、動作１０００はまた、時間期間の間に第１の論理チャネルにアップリンクリソースを割り当てるＱｏＳ義務なしに、第１の論理チャネルが送信されるべき制御データを有することをＵＥが識別することを含み得る。１０１０において、ＵＥは、第１の論理チャネルにアップリンクリソースの少なくとも一部分を割り当てる。１０１５において、ＵＥは、第１の論理チャネルユーザデータと第１の論理チャネル制御データとを含む少なくとも１つのプロトコルデータユニット（ＰＤＵ）を形成する。１０２０において、ＵＥは、時間期間中に第１の論理チャネルに割り当てられたアップリンクリソースを使用して少なくとも１つのＰＤＵを送信する。いくつかの態様によれば、ユーザデータのみまたは制御データのみが存在する例では、ＵＥは、次いで、ユーザデータまたは制御データを含んでいる少なくとも１つのＰＤＵを形成し、ＰＤＵは、次いで、時間期間中に第１の論理チャネルに割り当てられたアップリンクリソースを使用して送信される。
【００５６】
[0063]  図１１に、本開示のいくつかの態様による、論理チャネル優先順位付け、および論理チャネルに関連するデータを送信することのための例示的な動作１１００を示す。動作１１００は、たとえば、図１、図２、図５または図６のＵＥなどのＵＥによって、またはこれらの図に関して説明したデバイスの任意の組合せを使用して、実行され得る。
【００５７】
[0064]  動作１１００は、１１０５において、ｅＮＢから受信したアップリンク割当てに関連するＰＢＲおよびＴＴＩ持続時間だけ論理チャネルごとにＢｊを増分することによって開始する。１１１０において、ＵＥは、最高優先順位を有する第１の論理チャネル（たとえば、論理チャネルｊ）を選択する。いくつかの態様によれば、論理チャネルは、論理チャネルのためのＱｏＳターゲットを含む、論理チャネルによって与えられサービスの所定の基準に従って優先順位付けされ得る。１１１５において、ＵＥは、論理チャネルｊのトークンバケット値Ｂｊが０よりも大きいかどうかを判断し、論理チャネルのためのＱｏＳ義務が満たされたかどうかを示す。１１１５においてＢｊが０よりも大きくない場合、１１２０において、ＵＥは、論理チャネルｊのための制御データが存在するかどうかを判断する。１１２０において制御データが存在しない場合、１１２５において、アップリンクリソースは、ＵＥによって論理チャネルに割り当てられない。１１２０において制御データが存在する場合、１１３０において、ＵＥは、論理チャネルｊにアップリンクリソースを割り当てる。一態様によれば、アップリンクリソースは、論理チャネルのＰＢＲおよび特定のＴＴＩの間のアップリンク割当てに従って割り当てられ得る。１１３５において、ＵＥは、ｅＮＢへの送信のために制御ＰＤＵを構築する。形成されたＰＤＵは、次いで、ｅＮＢへの送信のために物理レイヤにパスされる。一態様によれば、Ｂｊが０よりも大きくないとの識別は、論理チャネルがそれのＱｏＳ義務を満たすためにユーザデータを送信する必要がなく、したがって、ユーザデータＰＤＵを形成する必要がないことがあることを示し得る。
【００５８】
[0065]  １１４０において、ＵＥは、ＵＥによる割当てのためのアップリンクリソースが残っているかどうかを判断する。アップリンクリソースが残っていない場合、１１４５において、プロセスは終了する。アップリンクリソースが残っている場合、１１５０において、ＵＥは、送信されるべきデータを有し得る論理チャネルが残っているかどうかを判断する。チャネルが残っていない場合、１１４５において、プロセスは終了する。論理チャネルが残っている場合、１１５５において、ＵＥは、ｊを増分し、動作は、１１１０において継続する。
【００５９】
[0066]  １１１５において、ＵＥは、Ｂｊが０よりも大きいと判断し、論理チャネルがそれのＱｏＳ義務を満たすために関連データを送信すべきであることを示す場合、１１６０において、ＵＥは、制御データが存在するかどうかを判断する。１１６０において、制御データが存在する場合、１１６５において、ＵＥは、チャネルＰＢＲと残りのＵＬ許可とに基づいて論理チャネルにアップリンクリソースを割り当てる。１１７０において、ＵＥは、物理レイヤによるｅＮＢへの送信のためにデータと制御ＰＤＵとを構築する。１１７５において、ＵＥは、論理チャネルｊによってサービスされるＭＡＣ  ＳＤＵ（たとえば、データＰＤＵ）の総サイズだけＢｊを減分する。動作１１００は、次いで、１１４０に進む。１１６０において、制御データが存在しないとＵＥが判断する場合、１１８０において、ＵＥは、論理チャネルのＰＢＲと残りのアップリンク許可とに基づいて論理チャネルにアップリンクリソースを割り当てる。１１８５において、ＵＥは、物理レイヤによるｅＮＢへの送信のためにデータＰＤＵを構築する。動作１１００は、次いで、１１７５に進む。
【００６０】
[0067]  添付の図面に関して上記に記載した詳細な説明は、例示的な実施形態について説明しており、実装され得るまたは特許請求の範囲内に入る実施形態のみを表すものではない。この説明全体にわたって使用する「例示的（exemplary）」という用語は、「例、事例、または例示の働きをすること」を意味し、「好ましい（preferred）」または「他の実施形態よりも有利な（advantageous over other embodiments）」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【００６１】
[0068]  情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６２】
[0069]  本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００６３】
[0070]  本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ（at least one of）」で終わる項目の列挙中で使用される「または（or）」は、たとえば、「Ａ、Ｂ、またはＣのうちの少なくとも１つ」の列挙は、ＡまたはＢまたはＣ、またはＡＢまたはＡＣまたはＢＣまたはＡＢＣ（すなわち、ＡおよびＢおよびＣ）を意味するような選言的列挙を示す。
【００６４】
[0071]  上で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素および／またはモジュールを含み得る。そのような手段は、図に示す１つまたは複数の構成要素中に含まれ得る、および／またはそのものであり得る。一般に、図に示された動作がある場合、それらの動作は、対応するカウンターパートのミーンズプラスファンクション構成要素を有し得る。
【００６５】
[0072]  本明細書で使用する「判断すること（determining）」という用語は、多種多様なアクションを包含する。たとえば、「判断すること」は、計算、算出、処理、導出、調査、探索（たとえば、テーブル、データベースまたは別のデータ構造での探索）、確認することなどを含み得る。また、「判断すること」は、受信（たとえば、情報を受信すること）、アクセスすること（たとえば、メモリ中のデータにアクセスすること）などを含み得る。また、「判断すること」は、解決すること、選択すること、選定すること、確立することなどを含み得る。
【００６６】
[0073]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【００６７】
[0074]  本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００６８】
[0075]  さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００６９】
[0076]  本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を示唆せず、または必要としない。したがって、本開示は、本明細書で説明する例および設計に限定されるべきでなく、本明細書で開示する原理および新規の特徴に合致する最も広い範囲を与えられるべきである。
【図１】
2016502805.tif 000003
【図２】
2016502805.tif 000004
【図３】
2016502805.tif 000005
【図４】
2016502805.tif 000006
【図５】
2016502805.tif 000007
【図６】
2016502805.tif 000008
【図７】
2016502805.tif 000009
【図８】
2016502805.tif 000010
【図９】
2016502805.tif 000011
【図１０】
2016502805.tif 000012
【図１１】
2016502805.tif 000013
【国際調査報告】
2016502805.tif 000014
2016502805.tif 000015
2016502805.tif 000016